(57)【要約】【課題】本発明は、１台の装置で、高温蒸気により殺菌洗浄できる場合と殺菌液により殺菌洗浄する場合とを必要に応じて使い分けることが可能な切替式洗浄機を提供するものである。【解決手段】本発明に係る切替式洗浄機Ａは、液体貯蔵タンク１０と、電気ヒータ２２及び安全弁２１を備えた蒸気変換用タンク２０と、吐出ノズル３０とを備えてなり、水を貯蔵した液体貯蔵タンク１０の場合には、蒸気変換用タンク２０を介して吐出ノズル３０から高温蒸気が噴射し、殺菌液を貯蔵した液体貯蔵タンク１０の場合には、蒸気変換用タンク２０を介さずに吐出ノズル３０から殺菌液が噴射するように構成したものである。【選択図】                図１
2016067387.tif 000002
【特許請求の範囲】
【請求項１】
液体貯蔵タンクと、電気ヒータ及び安全弁を備えた蒸気変換用タンクと、吐出ノズルとを備えてなり、
水を貯蔵した液体貯蔵タンクの場合には、蒸気変換用タンクを介して吐出ノズルから高温蒸気が噴射し、
殺菌液を貯蔵した液体貯蔵タンクの場合には、蒸気変換用タンクを介さずに吐出ノズルから殺菌液が噴射するように構成することにより、
蒸気噴射と殺菌液噴射との切替が可能である
ことを特徴とする切替式洗浄機。
【請求項２】
液体貯蔵タンクに液体送通用パイプが接続され、
前記液体送通用パイプは、水送通用パイプと殺菌液送通用パイプとに分岐しており、
前記水送通用パイプは蒸気変換用タンクに接続され、
蒸気変換用タンクには蒸気送通用パイプが接続され、
前記蒸気送通用パイプと前記殺菌液送通用パイプとが合流して吐出ノズルに接続されている
ことを特徴とする請求項１に記載の切替式洗浄機。
【請求項３】
液体送通用パイプの流路に液体送通用電磁ポンプを設け、
水送通用パイプの流路に水送通用電磁弁を設け、
殺菌液送通用パイプの流路に殺菌液送通用電磁弁を設け、
蒸気変換用タンク内に、水量液面の高位置及び低位置を検知する液面センサーと、蒸気の温度を検知する温度センサーとを設け、
蒸気送通用パイプの流路において、前記殺菌液送通用パイプと合流するまでの間に、蒸気送通用電磁弁を設け、
蒸気噴射と殺菌液噴射との切替スイッチを有し、電源を入りにすることにより作動し、電源を切りにすることにより停止する制御装置を備え、制御装置が作動すると液面センサー及び温度センサーの電源が入りとなり、制御装置が停止すると液面センサー及び温度センサーの電源が切りとなり、
制御装置による作動及び液面センサー及び温度センサーからの検知信号により、電気ヒータの電源の入り又は切り、液体送通用電磁ポンプの電源の入り又は切り、水送通用電磁弁を開閉する電源の入り又は切り、殺菌液送通用電磁弁を開閉する電源の入り又は切り、及び、蒸気送通用電磁弁を開閉する電源の入り又は切りを制御し、
切替スイッチを蒸気噴射に切り替えて制御装置の電源を入りにすると、制御装置は、液体送通用電磁ポンプの電源を入りにして液体送通用電磁ポンプを作動させると共に、殺菌液送通用電磁弁の電源を切りにして殺菌液送通用電磁弁を閉鎖し、かつ、水送通用電磁弁の電源を入りにして水送通用電磁弁を開放することにより液体貯蔵タンクから蒸気変換用タンクに水を流入させ、
液面センサーにより蒸気変換用タンク内の水量液面の低位置を検知して高位置を検知しない場合には、電気ヒータの電源を入りにすると共に蒸気送通用電磁弁の電源を入りにして蒸気送通用電磁弁を開放することにより吐出ノズルから蒸気を噴射させ、
液面センサーにより蒸気変換用タンク内の水量液面の低位置及び高位置のいずれも検知しない場合には、電気ヒータの電源を切りにすると共に蒸気送通用電磁弁の電源を切りにして蒸気送通用電磁弁を閉鎖することにより吐出ノズルからの蒸気噴射を停止させ、
液面センサーにより蒸気変換用タンク内の水量液面の高位置を検知する場合には、電気ヒータの電源を入りにすると共に液体送通用電磁ポンプの電源を切りにして液体送通用電磁ポンプを停止させ、
温度センサーにより蒸気変換用タンク内の蒸気の温度が所定の温度に達したことを検知したときには電気ヒータの電源を切りにし、
温度センサーにより蒸気変換用タンク内の蒸気の温度が所定の温度から一定温度低下したことを検知したときには電気ヒータの電源を入りにし、
切替スイッチを殺菌液噴射に切り替えて制御装置の電源を入りにすると、制御装置は、液体送通用電磁ポンプの電源を入りにすると共に水送通用電磁弁の電源を切りにして水送通用電磁弁を閉鎖し、殺菌液送通用電磁弁の電源を入りにして殺菌液送通用電磁弁を開放することにより、殺菌液を吐出ノズルから噴射させる
ことを特徴とする請求項２に記載の切替式洗浄機。
【請求項４】
蒸気送通用パイプの流路において、前記殺菌液送通用パイプと合流するまでの間に、蒸気送通用電磁弁に続いて蒸気送通用逆止弁及び蒸気送通用絞り弁をその順序に設け、
蒸気が蒸気送通用逆止弁及び蒸気送通用絞り弁を経由して、吐出ノズルから蒸気を噴射させる
ことを特徴とする請求項３に記載の切替式洗浄機。
【請求項５】
液体貯蔵タンクに注入口を設けると共に、液体貯蔵タンク内の液量液面の低位置を検知する第２液面センサーを設け、
第２液面センサーが低位置を検知しないときには、制御装置の電源を切りとする
ことを特徴とする請求項３又は請求項４に記載の切替式洗浄機。
【請求項６】
吐出ノズルに噴射動作と噴射停止とを切り替える噴射スイッチを設け、
噴射動作に切り替えたときは、制御スイッチの電源が入りになり、
噴射停止に切り替えたときは、制御スイッチの電源が切りとなる
ことを特徴とする請求項３〜５のいずれか１項に記載の切替式洗浄機。
【請求項７】
液体送通用パイプにおいて、液体送通用電磁ポンプから水送通用パイプと殺菌液送通用パイプとが分岐するまでの間に、液体送通用電磁ポンプに続いて液体送通用逆止弁及び液体圧力センサーをその順序に設け、
液体圧力センサーが一定以上の圧力を検知したときは、制御装置の電源が切りとなる
ことを特徴とする請求項３〜６のいずれか１項に記載の切替式洗浄機。
【発明の詳細な説明】
【技術分野】
【０００１】
本発明は、蒸気噴出と殺菌液噴出との切替が可能である切替式洗浄機に関するものであって、特に飲食店や食品製造工場における床面、壁面、棚、コンベヤ、調理用設備その他の設備や機械器具、一般機械器具の製造工場における床面、壁面、製造機械その他の設備や機械器具、又は、病院や介護施設における床面、壁面、医療設備その他の設備や機械器具に、蒸気又は殺菌液を噴射してこれら床面、壁面、設備や機械器具の洗浄及び殺菌消毒を能率的に行うための切替式洗浄機に関するものである。
【背景技術】
【０００２】
従来より高圧高温水や高温蒸気を噴射する方式の殺菌洗浄機が知られている。この殺菌はあくまで高温にすることによる殺菌効果であり、殺菌液を使用しての殺菌効果ではない。
【発明の概要】
【発明が解決しようとする課題】
【０００３】
しかしながら、上記のような殺菌洗浄機では、殺菌洗浄する対象物が高温に耐えないものである場合は使用できないという欠点がある。
【０００４】
そこで、本発明者は、鋭意研究を重ね、高温の蒸気を噴出させる機能と殺菌液を噴出させる機能とを切り替えることが可能である切替式洗浄機を開発した。
【課題を解決するための手段】
【０００５】
本発明に係る切替式洗浄機は、液体貯蔵タンクと、電気ヒータ及び安全弁を備えた蒸気変換用タンクと、吐出ノズルとを備えてなり、水を貯蔵した液体貯蔵タンクの場合には、蒸気変換用タンクを介して吐出ノズルから高温蒸気が噴射し、殺菌液を貯蔵した液体貯蔵タンクの場合には、蒸気変換用タンクを介さずに吐出ノズルから殺菌液が噴射するように構成することにより、蒸気噴射と殺菌液噴射との切替が可能であることを特徴とするものである。
【０００６】
また、上記の構成を具体化した構成として、液体貯蔵タンクに液体送通用パイプが接続され、前記液体送通用パイプは、水送通用パイプと殺菌液送通用パイプとに分岐しており、前記水送通用パイプは蒸気変換用タンクに接続され、蒸気変換用タンクには蒸気送通用パイプが接続され、前記蒸気送通用パイプと前記殺菌液送通用パイプとが合流して吐出ノズルに接続されている構成としてもよい。
【０００７】
さらに、上記の構成をより具体化した構成として、液体送通用パイプの流路に液体送通用電磁ポンプを設け、水送通用パイプの流路に水送通用電磁弁を設け、殺菌液送通用パイプの流路に殺菌液送通用電磁弁を設け、蒸気変換用タンク内に、水量液面の高位置及び低位置を検知する液面センサーと、蒸気の温度を検知する温度センサーとを設け、蒸気送通用パイプの流路において、前記殺菌液送通用パイプと合流するまでの間に、蒸気送通用電磁弁を設け、蒸気噴射と殺菌液噴射との切替スイッチを有し、電源を入りにすることにより作動し、電源を切りにすることにより停止する制御装置を備え、制御装置が作動すると液面センサー及び温度センサーの電源が入りとなり、制御装置が停止すると液面センサー及び温度センサーの電源が切りとなり、制御装置による作動及び液面センサー及び温度センサーからの検知信号により、電気ヒータの電源の入り又は切り、液体送通用電磁ポンプの電源の入り又は切り、水送通用電磁弁を開閉する電源の入り又は切り、殺菌液送通用電磁弁を開閉する電源の入り又は切り、及び、蒸気送通用電磁弁を開閉する電源の入り又は切りを制御し、切替スイッチを蒸気噴射に切り替えて制御装置の電源を入りにすると、制御装置は、液体送通用電磁ポンプの電源を入りにして液体送通用電磁ポンプを作動させると共に、殺菌液送通用電磁弁の電源を切りにして殺菌液送通用電磁弁を閉鎖し、かつ、水送通用電磁弁の電源を入りにして水送通用電磁弁を開放することにより液体貯蔵タンクから蒸気変換用タンクに水を流入させ、液面センサーにより蒸気変換用タンク内の水量液面の低位置を検知して高位置を検知しない場合には、電気ヒータの電源を入りにすると共に蒸気送通用電磁弁の電源を入りにして蒸気送通用電磁弁を開放することにより吐出ノズルから蒸気を噴射させ、液面センサーにより蒸気変換用タンク内の水量液面の低位置及び高位置のいずれも検知しない場合には、電気ヒータの電源を切りにすると共に蒸気送通用電磁弁の電源を切りにして蒸気送通用電磁弁を閉鎖することにより吐出ノズルからの蒸気噴射を停止させ、液面センサーにより蒸気変換用タンク内の水量液面の高位置を検知する場合には、電気ヒータの電源を入りにすると共に液体送通用電磁ポンプの電源を切りにして液体送通用電磁ポンプを停止させ、温度センサーにより蒸気変換用タンク内の蒸気の温度が所定の温度に達したことを検知したときには電気ヒータの電源を切りにし、温度センサーにより蒸気変換用タンク内の蒸気の温度が所定の温度から一定温度低下したことを検知したときには電気ヒータの電源を入りにし、切替スイッチを殺菌液噴射に切り替えて制御装置の電源を入りにすると、制御装置は、液体送通用電磁ポンプの電源を入りにすると共に水送通用電磁弁の電源を切りにして水送通用電磁弁を閉鎖し、殺菌液送通用電磁弁の電源を入りにして殺菌液送通用電磁弁を開放することにより、殺菌液を吐出ノズルから噴射させる構成としてもよい。
【０００８】
さらにまた、上記の構成に加えて、蒸気送通用パイプの流路において、前記殺菌液送通用パイプと合流するまでの間に、蒸気送通用電磁弁に続いて蒸気送通用逆止弁及び蒸気送通用絞り弁をその順序に設け、蒸気が蒸気送通用逆止弁及び蒸気送通用絞り弁を経由して、吐出ノズルから蒸気を噴射させる構成としてもよい。
【０００９】
また、上記の構成に加えて、液体貯蔵タンクに注入口を設けると共に、液体貯蔵タンク内の液量液面の低位置を検知する第２液面センサーを設け、第２液面センサーが低位置を検知しないときには、制御装置の電源を切りとする構成としてもよい。
【００１０】
さらに、上記の構成に加えて、吐出ノズルに噴射動作と噴射停止とを切り替える噴射スイッチを設け、噴射動作に切り替えたときは、制御スイッチの電源が入りになり、噴射停止に切り替えたときは、制御スイッチの電源が切りとなる構成としてもよい。
【００１１】
さらにまた、上記の構成に加えて、液体送通用パイプにおいて、液体送通用電磁ポンプから水送通用パイプと殺菌液送通用パイプとが分岐するまでの間に、液体送通用電磁ポンプに続いて液体送通用逆止弁及び液体圧力センサーをその順序に設け、液体圧力センサーが一定以上の圧力を検知したときは、制御装置の電源が切りとなる構成としてもよい。
【発明の効果】
【００１２】
本発明に係る切替式洗浄機は、１台の装置で、高温蒸気により殺菌洗浄できる場合と殺菌液により殺菌洗浄する場合とを必要に応じて使い分けることが可能となり、洗浄効率を向上させる利点がある。
【図面の簡単な説明】
【００１３】
【図１】本発明の実施例１に係る切替式洗浄機において、蒸気を噴射させる場合の構成を示す説明図である。
【図２】本発明の実施例１に係る切替式洗浄機において、殺菌液を噴射させる場合の構成を示す説明図である。
【発明を実施するための形態】
【実施例１】
【００１４】
本実施例に係る殺菌と洗浄とが切り替え可能な切替式洗浄機Ａは、主として、液体貯蔵タンク１０と、蒸気変換用タンク２０と、吐出ノズル３０と、制御装置５０とから構成されている。そして、制御装置５０により制御されることにより、液体貯蔵タンク１０に水を貯蔵した場合には、図１に示すように、蒸気変換用タンク２０を介して吐出ノズル３０から高温蒸気が噴射する。また、前記液体貯蔵タンク１０に殺菌液を貯蔵した場合には、図２に示すように、蒸気変換用タンク２０を介さずに吐出ノズル３０から殺菌液が噴射するように構成されている。このように液体貯蔵タンク１０に貯蔵される液体の種類により、蒸気噴射と殺菌液噴射との切替を可能としている。この吐出ノズル３０には、噴射スイッチ３０ａが設けられており、この噴射スイッチ３０ａにより吐出ノズル３０の噴射動作と噴射停止とを切り替えることができるようになっている。また、噴射スイッチ３０ａの切り替えに連動して、噴射スイッチ３０ａを噴射停止に切り替えたときには、制御装置５０の電源が切りとなって、切替式洗浄機Ａが停止し、噴射スイッチ３０ａを噴射動作に切り替えたときには、制御装置５０の電源が入りとなって、吐出ノズル３０により高温蒸気又は殺菌液の噴射ができるようになっている。
【００１５】
液体貯蔵タンク１０には、注入口１０ａ及び第２液面センサー１０ｂが設けられており、また、液体貯蔵タンク１０には、液体送通用パイプ１１が接続されている。この第２液面センサー１０ｂは、液体貯蔵タンク１０内の液量液面の高位置及び低位置を検知するものであって、第２液面センサー１０ｂが高位置を検知したときは、液体貯蔵タンク１０内の液量が満タンになったことを検知するものであり、その際に、液体貯蔵タンク１０内の液量が満タンになったことを示す信号、例えば表示ランプが点灯するようになっており、その信号により液体貯蔵タンク１０内への液体注入を停止する。また、第２液面センサー１０ｂが低位置を検知しないときには、液体貯蔵タンク１０が渇水状態になったことを検知するものであり、その際には、制御装置５０の電源が切りとなるようになっており、切替式洗浄機Ａが停止する。なお、上記の第２液面センサー１０ｂは、低位置のみを検知し、高位置を検知しないものを使用してもよく、その場合には、液体貯蔵タンク１０に液面計を設け、当該液面計により満タンになったことを確認したときに液体貯蔵タンク１０内への液体注入を停止するようにしてもよい。
【００１６】
上記液体送通用パイプ１１は、その流路に設けた液体送通用電磁ポンプａ、液体送通用逆止弁ａ１及び液体圧力センサーａ２を介して水送通用パイプ１２と殺菌液送通用パイプ１３とに分岐されている。そして、水送通用パイプ１２は、その流路に水送通用電磁弁ｂを介して蒸気変換用タンク２０に接続されている。一方、殺菌液送通用パイプ１３は、その流路に殺菌液送通用電磁弁ｃを介して吐出ノズル３０に接続されている。上記の液体圧力センサーａ２は、前記の水送通用電磁弁ｂ及び殺菌液送通用電磁弁ｃに異常が発生し、液体送通用電磁ポンプａが作動しているにも拘わらず、水送通用電磁弁ｂ及び殺菌液送通用電磁弁ｃのいずれもが閉鎖してしまったときの安全弁のために設けたものであり、液体圧力センサーａ２が一定以上の圧力を検知したときに、制御装置５０の電源が切りとなるように構成されている。
【００１７】
蒸気変換用タンク２０には、内部の蒸気圧が異常に高くなった場合の減圧方法として、内部の蒸気圧が異常に高くなった場合にその内圧を感知して自動的に蒸気を外部に逃すための安全弁２１が設けられている。２１ａは上記を外部に逃すためのパイプである。また、蒸気変換用タンク２０の内部には水を蒸気に変換するための熱源として電気ヒータ２２が設けられている。したがって、水送通用パイプ１２により移送されてきた水は、蒸気変換用タンク２０内において蒸気に変換される。
【００１８】
また、蒸気変換用タンク２０には、蒸気送通用パイプ２３が接続されており、この蒸気送通用パイプ２３は前記の殺菌液送通用パイプ１３と合流して吐出用ノズル３０に接続される構造をなしている。この蒸気送通用パイプ２３の流路には、前記殺菌液送通用パイプ１３と合流するまでの間に、蒸気送通用電磁弁ｄ、蒸気送通用逆止弁ｅ及び蒸気送通用絞り弁ｆをその順序に設けられている。したがって、蒸気変換用タンク２０内の蒸気は蒸気送通用パイプ２３を通じて、蒸気送通用電磁弁ｄ、蒸気送通用逆止弁ｅ及び蒸気送通用絞り弁ｆを経由して吐出用ノズル３０から噴射するようになっている。
【００１９】
さらに蒸気変換用タンク２０には液面センサー２４が設けられており、液面センサー２４により蒸気変換用タンク２０内の水量液面の高位置及び低位置を検知して、制御装置５０に検知信号を送信するようになっている。また、蒸気変換用タンク２０には温度センサー２５が設けられており、蒸気変換用タンク２０内の温度、すなわち高温蒸気の温度が検知して、制御装置５０に検知信号を送信するようになっている。
【００２０】
制御装置５０は、蒸気噴射と殺菌液噴射との切替スイッチを有している。また、商用電源による電源を入り切りするスイッチが設けられており、制御装置５０は、電源を入りにすることにより作動し、電源を切りにすることにより停止する。また、制御装置５０が作動すると液面センサー２４の電源が入りになって液面センサー２４の検知機能が作動する共に温度センサー２５の電源が入りになって温度センサー２５の検知機能が作動するように構成されている。逆に制御装置５０が停止すると液面センサー２４の電源が切りになって液面センサー２４の検知機能が停止すると共に温度センサー２５の電源が切りになって温度センサー２５の検知機能が停止するように構成されている。
【００２１】
そして、制御装置５０は、上記の蒸気噴射と殺菌液噴射との切替スイッチ及び電源の入り切りによる作動と共に液面センサー２４及び温度センサー２５からの検知信号により、電気ヒータ２２の電源の入り又は切り、液体送通用電磁ポンプａの電源の入り又は切り、水送通用電磁弁ｂを開閉する電源の入り又は切り、殺菌液送通用電磁弁ｃを開閉する電源の入り又は切り、及び、蒸気送通用電磁弁ｄを開閉する電源の入り又は切りを制御するようになっている。
【００２２】
すなわち、制御装置５０おける切替スイッチを蒸気噴射に切り替えて制御装置５０の電源を入りにすると、制御装置５０は、液体送通用電磁ポンプａの電源を入りにして液体送通用電磁ポンプａを作動させると共に、殺菌液送通用電磁弁ｃの電源を切りにして殺菌液送通用電磁弁ｃを閉鎖させることにより殺菌液送通用パイプ１３に水が流入することがないようにし、かつ、水送通用電磁弁ｂの電源を入りにして水送通用電磁弁ｂを開放することにより液体貯蔵タンク１０から水送通用パイプ１２のみを経由して蒸気変換用タンク２０に水を流入させる。
【００２３】
その際、液面センサー２４により蒸気変換用タンク２０内の水量液面の低位置を検知して高位置を検知しない場合、すなわち蒸気変換用タンク２０内の水量が適量である場合には、液面センサー２４は、その検知信号を制御装置５０に送信し、制御装置５０は電気ヒータ２２の電源を入りにすると共に蒸気送通用電磁弁ｄの電源を入りにして蒸気送通用電磁弁ｄを開放することにより吐出ノズル３０から蒸気を噴射させる。
【００２４】
また、液面センサー２４により蒸気変換用タンク２０内の水量液面の低位置及び高位置のいずれも検知しない場合、すなわち蒸気変換用タンク２０内の水量が少な過ぎる場合には、液面センサー２４は、その検知信号を制御装置５０に送信し、制御装置５０は電気ヒータ２２の電源を切りにすると共に蒸気送通用電磁弁ｄの電源を切りにして蒸気送通用電磁弁ｄを閉鎖することにより吐出ノズル３０からの蒸気噴射を停止させ、蒸気変換用タンク２０内の水量が増えて適量になるまで、電気ヒータ２２及び蒸気送通用電磁弁ｄの作動を待機させることになる。
【００２５】
さらに、液面センサー２４により蒸気変換用タンク２０内の水量液面の高位置を検知する場合、すなわち蒸気変換用タンク２０内の水量が多すぎる場合には、液面センサー２４は、その検知信号を制御装置５０に送信し、制御装置５０は電気ヒータの電源を入りにすると共に液体送通用電磁ポンプの電源を切りにして液体送通用電磁ポンプを停止させ、蒸気変換用タンク２０内の水量が減って適量になるまで、液体送通用電磁ポンプの作動を待機させる。
【００２６】
一方、温度センサー２５により蒸気変換用タンク２０内の蒸気の温度が所定の温度に達したことを検知したときには、温度センサー２５は、その検知信号を制御装置５０に送信し、制御装置５０は電気ヒータ２２の電源を切りにして蒸気変換用タンク２０内の蒸気の温度がそれ以上高温になることを防止し、蒸気変換用タンク２０内の蒸気の温度が下がって適温になるまで電気ヒータ２２の作動を待機する。そして、温度センサー２５により蒸気変換用タンク２０内の蒸気の温度が所定の温度から一定温度低下したことを検知したときには、温度センサー２５は、その検知信号を制御装置５０に送信し、制御装置５０は電気ヒータ２２の電源を入りにし、蒸気変換用タンク２０内の水を加温する。
【００２７】
切替スイッチを殺菌液噴射に切り替えて制御装置５０の電源を入りにすると、制御装置５０は、液体送通用電磁ポンプａの電源を入りにすると共に水送通用電磁弁ｂの電源を切りにして水送通用電磁弁ｂを閉鎖させることにより水送通用パイプ１２から蒸気変換用タンク２０へ殺菌液が流入することがないようにし、殺菌液送通用電磁弁ｃの電源を入りにして殺菌液送通用電磁弁ｃを開放し、液体貯蔵タンク１０から殺菌液を殺菌液送通用パイプ１３のみに流入させることにより、殺菌液を吐出ノズル３０から噴射させる。
【００２８】
以上のように本実施例に係る切替式洗浄機Ａを構成したことにより、１台の装置で、液体貯蔵タンク１０の水と殺菌液とを切り替え、制御装置５０を作動させることで、高温蒸気により殺菌洗浄できる場合と殺菌液により殺菌洗浄する場合とを必要に応じて使い分けることが可能となり、洗浄効率を向上させる利点がある。また、大かがりで複雑な装置を必要とせず、コンパクトに構成できるので軽量とすることができ、手作業による運搬が可能となる利点がある。
【００２９】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３０】
Ａ…………切替式洗浄装置
１０………液体貯蔵タンク
１０ａ……液体貯蔵タンクの注入口
１０ｂ……第２液面センサー
１１………液体送通用パイプ
ａ…………液体送通用電磁ポンプ
ａ１………液体送通用逆止弁
ａ２………液体圧力センサー
１２………水送通用パイプ
ｂ…………水送通用電磁弁
１３………殺菌液送通用パイプ
ｃ…………殺菌液送通用電磁弁
２０………蒸気変換用タンク
２１………安全弁
２１ａ……蒸気逃し用パイプ
２２………電気ヒータ
２３………蒸気送通用パイプ
ｄ…………蒸気送通用電磁弁
ｅ…………蒸気送通用逆止弁
ｆ…………蒸気送通用絞り弁
２４………液面センサー
２５………温度センサー
３０………吐出用ノズル
３０ａ……噴射スイッチ
５０………制御装置
【図１】
2016067387.tif 000003
【図２】
2016067387.tif 000004